【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
内視鏡装置によって撮像された被検査物の画像データと、前記被検査物の構成を示す構成部位情報と、前記内視鏡装置によって前記画像データに基づいて計測処理が行われた前記被検査物の計測結果とを受信する手段と、
前記構成部位情報と、前記画像データと、前記計測結果とを関連付けて記録する手段と、
備えたことを特徴とする内視鏡システム用サーバ。
【請求項２】
内視鏡装置によって撮像された被検査物の画像データと、前記被検査物の構成を示す構成部位情報と、前記画像データに基づいて行われる計測処理に用いられる計測のための情報とを受信する手段と、
前記画像データと、前記計測のための情報とに基づいて前記被検査物の計測処理を行う手段と、
前記構成部位情報と、前記画像データと、前記計測結果とを関連付けて記録する手段と、
を備えたことを特徴とする内視鏡システム用サーバ。
【請求項３】
前記計測結果を、ネットワークを介して通信可能に接続されている外部装置に送信する手段を更に備えたことを特徴とする請求項２に記載の内視鏡システム用サーバ。
【請求項４】
前記計測結果に基づいて前記被検査物の良否判定を行う手段を備え、
前記記録する手段は、前記構成部位情報と、前記画像データと、前記計測結果と、前記良否判定を行う手段による判定結果とを関連付けて記録することを特徴とする請求項１〜３の何れか１項に記載の内視鏡システム用サーバ。
【請求項５】
前記判定結果を、ネットワークを介して通信可能に接続されている外部装置に送信する手段を更に備えたことを特徴とする請求項４に記載の内視鏡システム用サーバ。
【請求項６】
被検査物を撮像し、画像データを生成する手段と、
前記画像データに基づいて前記被検査物の計測処理を行う手段と、
前記被検査物の構成を示す構成部位情報を有する構成部位リストを記憶する手段と、
前記構成部位リストが有する前記構成部位情報と、前記画像データと、前記計測処理を行う手段による前記被検査物の計測結果とを、ネットワークを介して通信可能に接続されている外部装置に送信する手段と、
を備えたことを特徴とする内視鏡装置。
【請求項７】
被検査物を撮像し、画像データを生成する手段と、
前記画像データに基づいた前記被検査物の計測処理に用いられる計測のための情報を指定する手段と、
前記画像データと、前記計測のための情報とを外部装置に送信する手段と、
前記画像データと、前記計測のための情報とに基づいて前記外部装置によって行われた前記被検査物の計測処理の計測結果を受信する手段と、
を備えたことを特徴とする内視鏡装置。
【請求項８】
前記外部装置によって行われる前記被検査物の良否判定の判定結果を受信する手段を備えたことを特徴とする請求項６または７に記載の内視鏡装置。
【請求項９】
被検査物を撮像し、画像データを生成する手段と、
前記画像データに基づいた前記被検査物の計測処理に用いられる計測のための情報を指定する手段と、
前記被検査物の構成を示す構成部位情報を有する構成部位リストを記憶する手段と、
前記構成部位情報と、前記画像データと、前記計測のための情報とを前記外部装置に送信する手段と、
を備えた内視鏡装置と、
前記内視鏡装置によって撮像された被検査物の画像データと、前記構成部位情報と、前記計測のための情報とを受信する手段と、
前記画像データと、前記計測のための情報とに基づいて前記被検査物の計測処理を行う手段と、
前記構成部位情報と、前記画像データと、前記計測処理が行われた前記被検査物の計測結果とを関連付けて記録する手段と、
を備えた内視鏡システム用サーバと、
を備えたことを特徴とする内視鏡システム。
【手続補正２】
【補正対象書類名】明細書
【補正対象項目名】発明の名称
【補正方法】変更
【補正の内容】
【発明の名称】内視鏡システム用サーバ、内視鏡装置及び内視鏡システム
【手続補正３】
【補正対象書類名】明細書
【補正対象項目名】０００１
【補正方法】変更
【補正の内容】
【０００１】
本発明は、工業分野に用いられる内視鏡システムに対して、ネットワークを含む通信経路を介して、遠隔地の外部端末により検査状況を視聴しつつ操作することができる遠隔操作可能な内視鏡システム用サーバ、内視鏡装置及び内視鏡システムに関する。
【手続補正４】
【補正対象書類名】明細書
【補正対象項目名】０００８
【補正方法】変更
【補正の内容】
【０００８】
そこで本発明は、内視鏡装置が撮影した画像を観察しつつ、ネットワーク通信を利用したリモコンにより内視鏡装置を遠隔操作し、且つネットワーク通信を利用して、観察場所から複数の遠隔地の外部端末に内視鏡画像を提供して、それらの外部端末による遠隔操作により、内視鏡画像を撮影して観察可能な内視鏡システム用サーバ、内視鏡装置及び内視鏡システムを提供することを目的とする。
【手続補正５】
【補正対象書類名】明細書
【補正対象項目名】０００９
【補正方法】変更
【補正の内容】
【０００９】
本発明は上記目的を達成するために、内視鏡装置によって撮像された被検査物の画像データと、前記被検査物の構成を示す構成部位情報と、前記内視鏡装置によって前記画像データに基づいて計測処理が行われた前記被検査物の計測結果とを受信する手段と、
前記構成部位情報と、前記画像データと、前記計測結果とを関連付けて記録する手段と、
備えたことを特徴とする内視鏡システム用サーバを提供する。
【手続補正６】
【補正対象書類名】明細書
【補正対象項目名】００１０
【補正方法】変更
【補正の内容】
【００１０】
また、被検査物を撮像し、画像データを生成する手段と、前記画像データに基づいて前記被検査物の計測処理を行う手段と、前記被検査物の構成を示す構成部位情報を有する構成部位リストを記憶する手段と、前記構成部位リストが有する前記構成部位情報と、前記画像データと、前記計測処理を行う手段による前記被検査物の計測結果とを、ネットワークを介して通信可能に接続されている外部装置に送信する手段と、を備えた内視鏡装置を提供する。
【手続補正７】
【補正対象書類名】明細書
【補正対象項目名】００１１
【補正方法】変更
【補正の内容】
【００１１】
さらに、被検査物を撮像し、画像データを生成する手段と、前記画像データに基づいた前記被検査物の計測処理に用いられる計測のための情報を指定する手段と、前記被検査物の構成を示す構成部位情報を有する構成部位リストを記憶する手段と、前記構成部位情報と、前記画像データと、前記計測のための情報とを前記外部装置に送信する手段と、を備えた内視鏡装置と、前記内視鏡装置によって撮像された被検査物の画像データと、前記構成部位情報と、前記計測のための情報とを受信する手段と、前記画像データと、前記計測のための情報とに基づいて前記被検査物の計測処理を行う手段と、前記構成部位情報と、前記画像データと、前記計測処理が行われた前記被検査物の計測結果とを関連付けて記録する手段と、を備えた内視鏡システム用サーバと、を備えた内視鏡システムを提供する。
以上のような構成の内視鏡システム用サーバ、内視鏡装置及び内視鏡システムは、Ｗｅｂサーバー等のサーバーやＷＷＷブラウザ画面によるネットワーク通信を利用したリモコンによる遠隔操作で内視鏡装置が駆動され、内視鏡装置により撮影された被検物の良否判定を行うために、その被検物の内視鏡画像を含む情報が、ネットワークを介して、内視鏡装置の遠隔操作可能な外部端末に送信されて被検物の良否判定が行われる。
【手続補正８】
【補正対象書類名】明細書
【補正対象項目名】００１２
【補正方法】変更
【補正の内容】
【００１２】
以上詳述したように本発明によれば、内視鏡装置が撮影した画像を観察しつつ、ネットワーク通信を利用したリモコンにより内視鏡装置を遠隔操作し、且つネットワーク通信を利用して、観察場所から複数の遠隔地の外部端末に内視鏡画像を提供して、それらの外部端末による遠隔操作により、内視鏡画像を撮影して観察可能な内視鏡システム用サーバ、内視鏡装置及び内視鏡システムを提供することができる。
【手続補正９】
【補正対象書類名】明細書
【補正対象項目名】００１７
【補正方法】変更
【補正の内容】
【００１７】
この内視鏡装置１における通信は、ＷＷＷ（Ｗｅｂ）サーバーにより行われ、ＨＴＭＬなどのサーバー言語で記述された画像を含む情報を後述する無線通信インターフェース部（通信Ｉ／Ｆ部）を用いて発信する。このＷｅｂサーバーの一例として、例えば、マイクロソフト社製ＩＩＳ（Internet Information Server）、また、Webブラウザとして、例えば、マイクロソフト社製ＩＥ（Internet Explorer）等がある。サーバー言語の例としては、ＨＴＭＬ、ＸＭＬがあり、無線通信インターフェース部としては、ＩＥＥＥ８０２．１１ｂやＩＥＥＥ８０２．１１ａが知られている。また、通信プロトコルとしては、ＨＴＴＰ等が知られている。
【手続補正１０】
【補正対象書類名】明細書
【補正対象項目名】０１０４
【補正方法】変更
【補正の内容】
【０１０４】
そして、検査者が内視鏡画像から傷等の不具合を見いだした場合には、図２に示したように主リモコン２のライブボタン４６を操作して、動画像から静止画像に切り換えて画像を固定し、図１８、１９に示したように、傷のポイント（両端）を指定し、ステレオ計測（２点間計測、深さ計測）、比較計測など表示される計測メニューの中から選択して「ＭＥＡＳＵＲＥ」１６７を実行させて、計測結果を得る。そして、計測結果として、計測メニューと計測したい点を入力した画像、及び被検物とその構成部位を特定した情報を情報処理センタ１８１へネットワークを介して送信する。